(57)【要約】【課題】表示手段に表示される画像の元となる画像データの種類を簡単に識別することができる表示制御プログラムの提供。【解決手段】コンピュータを、少なくとも、記録手段の記録構造や画像データの拡張子、ファイル名、情報ファイルなどを参照して、撮影方法や付帯情報の有無、加工の有無などで分類される画像データの種類（標準モードの画像データ、連写モードの画像データ、動画データ、音声情報付きの画像データ、プリント注文指定がされた画像データ、加工済み画像データなど）を判別するデータ判別手段、画像データの種類を識別するための文字情報を画像データに基づく画像内部又は外部近傍に対応づけて表示、又は、画像と文字を含む情報とを合成した画像を作成して表示する手段、として機能させるものであり、文字情報により、表示されている画像の元となる画像データの種類を簡単に識別できる。【選択図】図１２
2005244724.tif 000002
【特許請求の範囲】
【請求項１】
１又は複数の画像データに基づく画像を表示手段に表示させるための表示制御プログラムにおいて、
コンピュータを、
前記画像データの種類を判別する手段、
前記画像データに基づく画像に対応づけて、前記種類を識別するための文字を含む情報を前記表示手段に表示させる手段、として機能させることを特徴とする表示制御プログラム。
【請求項２】
前記文字を含む情報は、予め定められた期間のみ表示、又は、カーソルで指示された画像に対してのみ表示されることを特徴とする請求項１記載の表示制御プログラム。
【請求項３】
１又は複数の画像データに基づく画像を表示手段に表示させるための表示制御プログラムにおいて、
コンピュータを、
前記画像データの種類を判別する手段、
前記画像データに基づく画像と前記種類を識別するための文字を含む情報とを合成した合成画像を生成する手段、
前記合成画像を前記表示手段に表示させる手段、として機能させることを特徴とする表示制御プログラム。
【請求項４】
前記文字を含む情報は、前記画像内、又は、前記画像の近傍に表示されることを特徴とする請求項１乃至３のいずれか一に記載の表示制御プログラム。
【請求項５】
前記判別手段では、前記画像データが記録されている記録手段に作成されているフォルダの階層構造又はフォルダの名称に基づいて特定される記録構造を参照して、前記画像データの種類を判別することを特徴とする請求項１乃至４のいずれか一に記載の表示制御プログラム。
【請求項６】
前記判別手段では、前記画像データの拡張子又はファイル名を参照して、前記画像データの種類を判別することを特徴とする請求項１乃至４のいずれか一に記載の表示制御プログラム。
【請求項７】
前記判別手段では、前記画像データが記録されている記録手段の記録情報又はプリント注文情報が記述された情報ファイルを参照して、前記画像データの種類を判別することを特徴とする請求項１乃至４のいずれか一に記載の表示制御プログラム。
【請求項８】
前記画像データは、標準モードで撮影して得られた画像データ、連写モードで撮影して得られた画像データ、動画データ、音声データに関連づけされた画像データ、プリント注文の指定がされた画像データ、所定の加工が施された画像データのいずれかを含むことを特徴とする請求項１乃至７のいずれか一に記載の表示制御プログラム。
【請求項９】
前記標準モードで撮影して得られた画像データ以外の画像データに基づく画像に対して、前記文字を含む情報が表示されることを特徴とする請求項８記載の表示制御プログラム。
【発明の詳細な説明】
【技術分野】
【０００１】
本発明は、画像データの種類を識別可能に表示手段に表示させるための表示制御プログラムに関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
【特許文献１】特開平５−１８２３７３号公報（第４−６頁、第３図）
【発明の開示】
【発明が解決しようとする課題】
【０００４】
上記サービスを利用することにより、ＣＤ−Ｒ、ＤＶＤ−Ｒなどの記録媒体に、デジタルカメラで撮影された各種画像データ、例えば、通常の撮影モードで撮影された画像データや連写モードで撮影された一群の画像データ、動画データ、アフターレコーディング（以下、アフレコと略す。）付き画像データなどを記録することができ、これらの画像データを表示手段に表示させたり、更に画像データに所定の加工を施したり、プリント注文を行うなど、画像データを活用することができる。
【０００５】
ここで、例えば、画像データを用いて写真プリントを作成する場合、表示手段に表示された画像データの中から所望の画像データを選択し、選択した画像データとプリント注文情報とを写真店に提供して写真プリントの作成を依頼することになるが、その際、標準モードで撮影して得られた画像データを用いれば高精細な写真プリントを作成することができるが、間違って連写モードの画像データや動画データを選択した場合、これらの画像データのコマ画像では画素数が不足するために高精細な写真プリントを作成することができない。
【０００６】
また、撮影後に音声を録音することができるアフレコ機能を備えたデジタルカメラで撮影した場合、画像データに関連づけられた音声情報も再生することができるが、画像データを一覧表示しただけでは、どの画像データがアフレコ付き画像データであるかを識別することができない。同様に、画像データに色補正などの加工を行って保存した場合、元の画像データと加工済み画像データとを簡単に識別することができず、また、ＤＰＯＦ（Digital Print Order Format）に従ってプリント注文を行った場合、一覧表示された画像データを見ただけではどの画像データがプリント注文で指定された画像データであるのかを識別することができないという問題もある。
【０００７】
このように画像データの中には標準モードで撮影された画像データのみならず、連写モードなどの特別なモードで撮影された画像データ、動画データ、アフレコ付き画像データ、加工済み画像データ、ＤＰＯＦ指定画像データなど、様々な種類の画像データがあり、これらの画像データを一覧表示しただけではその画像データがどのような種類の画像データであるのかを識別することができないという問題があった。
【０００８】
本発明は、上記問題点に鑑みてなされたものであって、その主たる目的は、表示手段に表示される画像の元となる画像データの種類を簡単に識別することができる表示制御プログラムを提供することにある。
【課題を解決するための手段】
【０００９】
上記目的を達成するため、本発明の表示制御プログラムは、１又は複数の画像データに基づく画像を表示手段に表示させるための表示制御プログラムにおいて、コンピュータを、前記画像データの種類を判別する手段、前記画像データに基づく画像に対応づけて、前記種類を識別するための文字を含む情報を前記表示手段に表示させる手段、として機能させるものであり、前記文字を含む情報は、予め定められた期間のみ表示、又は、カーソルで指示された画像に対してのみ表示される構成とすることができる。
【００１０】
また、本発明の表示制御プログラムは、１又は複数の画像データに基づく画像を表示手段に表示させるための表示制御プログラムにおいて、コンピュータを、前記画像データの種類を判別する手段、前記画像データに基づく画像と前記種類を識別するための文字を含む情報とを合成した合成画像を生成する手段、前記合成画像を前記表示手段に表示させる手段、として機能させるものである。
【００１１】
本発明においては、前記文字を含む情報は、前記画像内、又は、前記画像の近傍に表示される構成とすることができる。
【００１２】
また、本発明においては、前記判別手段では、前記画像データが記録されている記録手段に作成されているフォルダの階層構造又はフォルダの名称に基づいて特定される記録構造を参照して、前記画像データの種類を判別する構成、又は、前記画像データの拡張子又はファイル名を参照して、前記画像データの種類を判別する構成、又は、前記画像データが記録されている記録手段の記録情報又はプリント注文情報が記述された情報ファイルを参照して、前記画像データの種類を判別する構成とすることもできる。
【００１３】
また、本発明においては、前記画像データは、標準モードで撮影して得られた画像データ、連写モードで撮影して得られた画像データ、動画データ、音声データに関連づけされた画像データ、プリント注文の指定がされた画像データ、所定の加工が施された画像データのいずれかを含むことが好ましく、前記標準モードで撮影して得られた画像データ以外の画像データに基づく画像に対して、前記文字を含む情報が表示される構成とすることもできる。
【００１４】
このように、本発明の構成によれば、表示制御プログラムは、記録手段の記録構造や画像データの拡張子、ファイル名、情報ファイルなどを参照して画像データの種類を判別し、該画像データの種類を識別するための文字を含む情報を画像データに基づく画像に対応づけて表示手段に表示し、また、該画像データに基づく画像と該文字を含む情報とを合成した画像を作成して表示手段に表示するため、ユーザは画面上に表示されている画像の元となる画像データの種類を簡単に判別することができ、これによりユーザの利便性を格段に向上させるころができる。
【発明の効果】
【００１５】
本発明の表示制御プログラムによれば、ユーザは画面上に表示されている画像の元となる画像データの種類を簡単に識別することができる。
【００１６】
その理由は、表示制御プログラムは、記録手段のフォルダ階層構造やフォルダ名称などの記録構造、画像データの拡張子、ファイル名、情報ファイルなどを参照して、撮影方法や付帯情報の有無、加工の有無などで分類される画像データの種類を判別し、その種類を認識できる文字情報を画像データに基づく画像に対応づけて表示手段に表示、又は、画像データの基づく画像と文字情報とを合成した画像を作成して表示手段に表示する制御を行うからである。
【発明を実施するための最良の形態】
【００１７】
本発明に係る表示制御プログラムは、その好ましい一実施の形態において、コンピュータを、少なくとも、記録媒体やメディア、デジタルカメラ、ハードディスク、ホームサーバ、ｗｅｂサーバなどの記録手段に記録された画像データが、標準モードで撮影された画像データであるのか、連写モードなどの特殊なモードで撮影された画像データであるのか、動画データであるのか、アフレコ付きの画像データであるのか、ＤＰＯＦで指定された画像データであるのか、トリミングや回転、色補正などの加工が施された画像データであるのかなどの画像データの種類を判別するデータ判別手段、画像データの種類を識別するための文字を含む情報を画像データに基づく画像内又はその近傍に対応づけて表示手段に表示、又は、画像データに基づく画像と文字を含む情報とを合成した画像を作成して表示手段に表示する手段、として機能させるものであり、上記表示制御プログラムを機能させることにより、ユーザは画面上に表示されている画像がどのような種類の画像データに基づく画像であるかを簡単に識別することができ、これによりユーザの利便性を格段に向上させることができる。
【実施例】
【００１８】
上記実施形態について詳細に説明すべく、本発明の一実施例に係る表示制御プログラムについて、図１乃至図１３を参照して説明する。図１は、記録媒体作成装置の構成を模式的に示す図であり、図２乃至図６は、本実施例に係るコンピュータ機器の構成を模式的に示す図、図７はその機能を示すブロック図である。また、図８は、記録媒体の作成手順を示すフローチャート図であり、図９は、記録媒体の利用手順を示すフローチャート図である。また、図１０及び図１１は、データの記録構造を示す図であり、図１２乃至図１４は、コンピュータ機器の表示手段に表示される画面の一例を示す図である。
【００１９】
なお、表示手段に表示する画像の元となる画像データが記録されている記録手段としては、記録媒体やメディア、デジタルカメラ、ハードディスク、ホームサーバ、ｗｅｂサーバなど任意であるが、以下の説明では、記録手段として記録媒体を用いる場合について主に説明する。また、本明細書で単に画像データと言うときは、通常の撮影モードで撮影された画像データ（以下、他の画像データと区別するために本画像データと呼ぶ。）、本画像データのデータサイズを縮小した画像データ（以下、縮小画像データと呼ぶ。）、動画データ、連写モードで撮影された画像データ群（以下、連写画像データと呼ぶ。）、音声情報が関連付けされた画像データ（以下、アフレコ付き画像データと呼ぶ。）、ＤＰＯＦで指定された画像データ（以下、ＤＰＯＦ指定画像データと呼ぶ。）、トリミングや回転、色補正などの画像加工が施された画像データ（以下、加工済み画像データと呼ぶ。）などを含むものとする。
【００２０】
本実施例のシステムは、少なくとも本画像データと本画像データ以外の１種類以上の他の画像データとが記録された記録媒体９を作成する記録媒体作成装置１と、該記録媒体９に記録されている画像データを利用可能に表示するコンピュータ機器１０とを少なくとも備えている。
【００２１】
上記記録媒体作成装置１は、図１に示すように、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１９を介してｗｅｂサーバ２０から画像データをダウンロードするネットワーク接続部等のデータ入力手段と、メディア８やデジタルカメラ７から読み取った、又はｗｅｂサーバ２０からダウンロードした画像データやＤＶＤプレーヤやＤＶＤレコーダ、ゲーム機などで再生可能な形式に変換された画像データなどが記録されるＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４と、ボタン、キーボード、マウス等の操作部６及びＬＣＤ、ＣＲＴ等の表示部５（図では操作部６と表示部５とを兼ね備えるタッチパネルを示している。）とを備えている。なお、図１では記録媒体作成装置１として写真店やコンビニエンスストアなどの店舗に設置される無人端末（キオスク）を示しているが、記録媒体作成装置１の形態は任意であり、入力手段や記録手段を備えた専用のセットトップボックスやポータブルライター、パーソナルコンピュータなどとしてもよい。
【００２２】
また、コンピュータ機器１０は、演算処理手段に加えて、図２に示すように、上記記録媒体９を装填する記録媒体装填部１４と、モニタ等の表示手段１５と、キーボード、マウス等の操作手段１６とを少なくとも備え、必要に応じて、ハードディスク１１などの内部記録手段、デジタルカメラ１７やカメラ付き携帯電話機１７ａなどの撮影機器を接続するための機器接続部１３、メディア１８を装填するためのメディア装填部１２、通信ネットワーク１９を介してホームサーバ２１やｗｅｂサーバ２０と接続するためのネットワーク接続部などを備える。なお、図２ではコンピュータ機器１０としてパーソナルコンピュータを用いる場合を示しているが、コンピュータ機器１０の形態も任意であり、表示制御プログラムを実行可能な演算処理手段を備えたものであれば良く、例えば、図３に示すように専用のセットトップボックスとしたり、図４に示すようにポータブルライターとしたり、図５に示すように演算処理手段を備えるＨＤＤレコーダやＤＶＤレコーダ、ゲーム機としたり、図６に示すように、演算処理手段を備えるカーナビゲーション装置などとすることもできる。
【００２３】
上記コンピュータ機器１０の主な機能をブロック図で示すと図７のようになる。すなわち、記録媒体９やメディア１８、デジタルカメラ１７、ハードディスク１１、ホームサーバ２１、ｗｅｂサーバ２０などの各種記録手段から画像データを読み込むデータ入力手段２２と、予め定められたルールに従って上記記録手段に生成されたフォルダの階層構造やフォルダの名称などに基づいて特定されるデータの記録構造や、ファイルの拡張子、ファイル名、ファイルのヘッダ領域に書き込まれた情報、記録情報が記述されたインフォメーションファイルやプリント注文情報が記述されたＤＰＯＦファイル等の情報ファイルなどを参照して、記録手段に記録されている画像データの種類、すなわち、撮影条件や付帯情報の有無、加工の有無などによって分類される本画像データ、縮小画像データ、動画データ、連写画像データ、アフレコ付き画像データ、ＤＰＯＦ指定画像データ、加工済み画像データなどを判別するデータ判別手段２３と、画像データに基づく画像に、該画像データの種類を識別するための文字を含む情報を画像内又はその近傍に対応づけて表示手段に表示、又は、画像データに基づく画像と文字を含む情報を合成した画像を作成して表示手段に表示する制御を行う表示制御手段２４とを少なくとも備えている。
【００２４】
なお、上記各手段はコンピュータ機器１０にハードウェアとして構成されていてもよいし、コンピュータを、少なくとも、データ判別手段２３、表示制御手段２４として機能させる表示制御プログラムとして構成し、該表示制御プログラムをコンピュータ機器１０にインストールして実行する構成としてもよい。
【００２５】
次に、上記記録媒体作成装置１を用いて記録媒体９を作成する手順について、図８のフローチャート図を参照して説明する。
【００２６】
まず、ステップＳ１０１で、記録媒体作成装置１のメディア装填部２にメディア８を装填、又は、機器接続部３にデジタルカメラ７やカメラ付き携帯電話機７ａを接続、又はネットワーク接続部を通信ネットワーク１９に接続すると共に、記録媒体装填部４に記録媒体９を装填する。なお、記録媒体９はデータが記録されていないものを用いてもよいし、本実施例の表示制御プログラムやスライドショープログラム、音楽データなどの他のデータやアプリケーションが予め記録された記録媒体を用いてもよい。その後、ステップＳ１０２で、デジタルカメラ７やメディア８に記録された画像データやｗｅｂサーバ２０に記録された画像データ（本画像データ、連写画像データ、動画データ、アフレコ付き画像データなど）を読み取り、必要に応じて、表示部５や操作部６を用いて記録媒体９に記録する画像データを選択する。
【００２７】
次に、ステップＳ１０３で、必要に応じて、デジタルカメラ７などから読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００２８】
次に、ステップＳ１０４で、必要に応じて、読み取った画像データをＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００２９】
次に、ステップＳ１０５で、データ転送手段を用いて、作成された動画データや関連付けファイル等（以下、これらを総称して画像再生機器用データ群と呼ぶ。）を予め設けた書き込み用の所定のフォルダに転送した後、データ記録手段を用いて、該フォルダから画像再生機器用データ群を読み出して、記録媒体９の論理アドレス領域の内側に記録する。その後、ステップＳ１０６で、データ記録手段を用いて、コンピュータ機器用のデータの記録を行う前に、画像再生機器で使用可能なデータの領域を区分するために一旦セッションをクローズする。
【００３０】
次に、ステップＳ１０７で、データ転送手段を用いて、本画像データ、縮小画像データ、連写画像データ、動画データ、アフレコ付き画像データ、音楽データ、予め記録されたプログラムや設定ファイル等（以下、これらを総称してコンピュータ機器用データ群と呼ぶ。）を予め設けた書き込み用の所定のフォルダに転送した後、データ記録手段を用いて、該フォルダからコンピュータ機器用データ群を読み出して、記録媒体９に先に記録された画像再生機器用データ群の外側に記録して一連の書き込み処理を終了する。
【００３１】
上記手順で作成された記録媒体９の記録構造は、各種画像データがフォルダに分類して記録される場合は図１０に示すようになり、各種画像データがフォルダに分類されずに記録される場合は図１１に示すようになる。具体的には、例えば、”PS_Roll”フォルダ内の本画像データ、サムネイル画像データ、スクリーンネイル画像データ、連写画像データ、動画データ、アフレコ付き画像データなどの画像データ群、及び、必要に応じてインフォメーションファイルと、”Slideshow”フォルダ内のスライドショープログラム及びスライドショーの設定ファイルとでコンピュータ機器用データ群が構成され、”VCD”フォルダ内の画像データをＶｉｄｅｏ−ＣＤ形式、ＤＶＤ−Ｖｉｄｅｏ形式、ＨＤＴＶ形式用データ等として関連付けるファイルと、”SEGMENT”フォルダ内のＴＶ画面に表示する画像データと、”MPEGAV”フォルダ内の動画データと、”DAT”フォルダ内のＴＶ画面に静止画像データを表示するためのアプリケーションとで画像再生機器用データ群が構成される。
【００３２】
なお、画像データ群の記録構造は任意であるが、画像データ群をコンピュータ機器１０のハードディスク１１などにバックアップした場合における管理を容易にするために、予め定められたルールに従ってフォルダを構成し、そのフォルダにユニークな名称を付与することが好ましい。例えば、図１０及び図１１に示すように、画像データの格納場所を示すフォルダ（PS_Roll）の下位の階層にメディア８毎、機器毎の画像データの格納場所を示すフォルダ（RO_AABC_XXXXX_YYMMDD_yyy_zzz）を作成し、各々の要素を、AA：国別のコード番号（00〜ZZ）、B：地域別のコード番号（0〜Z）、C：記録媒体の作り方を示すコード番号（例えば、キオスクで作った場合はk、ラボで作った場合はLなど）、XXXXX：ランダムなＩＤ番号、yymmdd：書き込み年月日を特定する数字、yyy：日毎のシーケンシャル番号、zzz：所定の単位毎（例えば、フィルム毎やメディア毎、機器毎など）のシーケンシャル番号などとしてフォルダを識別しやすくしてもよい。
【００３３】
次に、上記記録媒体作成装置１で作成された記録媒体９に記録された画像データをコンピュータ機器１０で利用可能に表示する手順について、図９のフローチャート図を参照して説明する。なお、以下の説明では、予め記録媒体９に記録された画像データを用いて所定の画像加工を施した加工済み画像データやＤＰＯＦで指定されたＤＰＯＦ指定画像データも記録媒体９に記録されているものとする。
【００３４】
まず、ステップＳ２０１で、記録媒体９をコンピュータ機器１０の記録媒体装填部１４に装填すると、ステップＳ２０２で、本実施例の表示制御プログラムが起動し、ステップＳ２０３でデータ判別手段２３を用いて記録媒体９に記録されている画像データの種類を判別する。
【００３５】
この画像データの種類の判別方法としては３つの態様が考えられる。第１の態様は、記録媒体９の記録構造を参照して判別する方法である。具体的には、データ判別手段２３は記録媒体９に作成されているフォルダの階層構造やフォルダの名称を調べ、例えば、図１０のように”PS_Roll”という名称のフォルダが存在する場合は、その下位の階層の”RO”フォルダに格納されている画像データが標準モードで撮影された画像データ（本画像データ）であると判断し、更に、”THM”フォルダに格納されている画像データがサムネイル画像データ、”SCREEN”フォルダに格納されている画像データがスクリーンネイル画像データ、”CNT”フォルダに格納されている一連の画像データが連写画像データ、”MOV”フォルダに格納されている画像データが動画データ、”VOICE”フォルダに格納されている画像データが音声データに対応付けされたアフレコ付き画像データであると判断する。また、上記した”AABC_XXXXX_YYMMDD_yyy_zzz”などの文字や数字を含むフォルダが存在する場合は、その中に格納されている画像データが対象となる画像データであると判断する。
【００３６】
また、第２の態様は画像データ自体を参照して判別する方法である。具体的には、記録媒体９に記録されている画像データの拡張子を読み出し、例えば、拡張子が”avi”などの場合は動画データであると判断し、画像データが”yymmddEE-01、02…（yymmdd：書き込み年月日を特定する数字、EE：コマ毎のシーケンシャル番号）などの連番の文字で構成されている場合はこれら一群の画像データが連写画像データであると判断し、拡張子が”jpg”の画像データと拡張子が”wav”の音声データとが同じファイル名の場合は、この画像データがアフレコ付き画像データであると判断する。また、ファイル名の特定部分（例えば、先頭）の文字が画像データの種類に対応付けられている場合（例えば、本画像データが”R”、動画データは”M”など）は、その特定部分の文字から画像データの種類を判別する。
【００３７】
また、第３の態様は画像データのヘッダに記録された情報や記録情報が記述されたインフォメーションファイル、プリント注文情報が記述されたＤＰＯＦファイル等の情報ファイルを利用して判別する方法である。具体的には、exif形式のデータのヘッダ領域に記述された撮影日時がほぼ同時刻の画像データが複数存在する場合はこれらの画像データ群が連写画像データであると判断し、関連音声ファイルに関する情報が記述されているときはアフレコ付き画像データであると判断し、色空間情報、解像度に関する情報が更新されている場合は加工済み画像データであると判断する。また、インフォメーションファイル（例えば、図１０における”info.txt”）に記録情報が記述されている場合は該情報に従って画像データの種類を判別したり、ＤＰＯＦファイルが生成されている場合はＤＰＯＦファイルに記述された情報に従ってＤＰＯＦ指定画像データを特定する。なお、上記３つの態様は例示であり、対象となる画像データの種類を判別できる方法であれば他の方法を用いてもよい。
【００３８】
次に、ステップＳ２０４で、データ入力手段２２を用いて判別した画像データを読み込んだ後、ステップＳ２０５で、該画像データに基づく画像が表示される表示画面を作成する。その際、従来のコンピュータ機器やプログラムでは、読み込んだ１又は複数の画像データに基づく画像を一覧形式、アルバム形式、スライドショー形式などで表示することはできるが、各々の画像がどのような種類の画像データに基づく画像であるのかを文字を含む情報で表示するものはなかった。そのため、表示画面を見ても画像データの種類を識別することができなかった。
【００３９】
そこで、本実施例では、表示制御手段２４を用いて図１２に示すような表示画面２６を作成する。この表示画面２６には、例えば、枠内に表示される画像データ群を識別するためのタグ表示欄２７と、画像データに基づく画像を表示する画像表示欄２８と、画像データを用いた処理が選択可能に表示される作業メニュー欄２９などが設けられている。そして、画像表示欄２８には、各々の画像データに基づく画像が一覧形式、アルバム形式、又はスライドショー形式で表示されると共に、表示制御手段２４によって該画像の元となる画像データの種類を識別することができる文字情報（例えば、動画、連写、ＤＰＯＦ指定、アフレコ付き、加工済みなど）が生成されて、該画像に対応づけて表示される。
【００４０】
なお、文字情報とは、画像データの種類を識別できる文字を少なくとも含んで構成されていれば良く、文字の構成は任意であり、文字に加えて画像データの種類を概念的に示すイラストなどの文字以外の情報を含んでいてもよい。また、ここでは通常の撮影モードで撮影された画像データに関しては文字情報を表示していないが、全ての画像データに対して文字情報を表示してもよいし、特定の種類の画像データのみ（例えば、動画データのみ、アフレコ付き画像データとＤＰＯＦ指定画像データのみなど）に対して文字情報を表示してもよい。
【００４１】
また、文字情報の表示位置は画像と対応づけられた位置であればよく、図１２に示すように画像の中央に表示してもよいし、図１３（ａ）に示すように、画像の識別の妨げにならないように画像の周縁部（図では左下）に表示したり、図１３（ｂ）に示すように、画像の周囲近傍に表示することもできる。また、この文字情報は常に画像と共に表示させる構成としてもよいが、予め定めた一定期間（例えば、表示開始から１分など）のみ表示し、該期間が過ぎたら文字情報を表示させないように表示制御手段２４で制御してもよいし、図１４に示すように所望の画像上にカーソル２５を移動させるとその画像に対応づけられた文字情報が表示され、カーソル２５を画像上からずらすと文字情報が消えるように表示制御手段２４で制御してもよい。
【００４２】
また、ここでは、表示されている画像の上に文字情報を重ねて表示するように表示制御手段２４で制御しているが、画像データに基づく画像と該画像に対応づけられた文字情報とを合成した画像を作成し、画像表示欄２８に合成後の画像を表示する構成とすることもできる。
【００４３】
その後、ステップＳ２０６で、ユーザは操作手段１６を用いて画像表示欄２８の中から所望の画像を選択して、適切な処理を示すボタンを押して各種処理を実行する。例えば、通常の撮影モードで得られた本画像データのみを用いて新しい記録媒体を作ったり、ＤＰＯＦ指定画像データを用いて店にプリント注文するなどの処理を行う。
【００４４】
このように、本実施例では、画像データに基づく画像を単に表示するのみならず、各々の画像の元となる画像データの種類を識別するための文字を含む情報を画像に対応づけて表示手段１５に表示したり、又は画像と文字を含む情報とを合成した画像を作成して表示手段１５に表示するため、ユーザは表示されている画像がどのような画像データに基づくものなのかを簡単に識別することができ、これにより、ユーザの利便性を格段に向上させることができる。
【００４５】
なお、上記では、画像データとして、本画像データ、縮小画像データ、動画データ、連写画像データ、アフレコ付き画像データ、ＤＰＯＦ指定画像データ、加工済みの画像データを例にして説明したが、本発明は上記実施例に限定されるものではなく、他の種類の画像データを用いることができるのは明らかである。また、このような画面の制御は画像データのみならず、例えば音楽データなどの他の種類のデータに対しても同様に適用することができる。
【図面の簡単な説明】
【００４６】
【図１】本発明の一実施例に係る記録媒体作成装置の構成を模式的に示す図である。
【図２】本発明の一実施例に係るコンピュータ機器の構成を模式的に示す図である。
【図３】本発明の一実施例に係るコンピュータ機器の他の構成を模式的に示す図である。
【図４】本発明の一実施例に係るコンピュータ機器の他の構成を模式的に示す図である。
【図５】本発明の一実施例に係るコンピュータ機器の他の構成を模式的に示す図である。
【図６】本発明の一実施例に係るコンピュータ機器の他の構成を模式的に示す図である。
【図７】本発明の一実施例に係るコンピュータ機器の主な手段を示すブロック図である。
【図８】本発明の一実施例に係る記録媒体作成装置を用いた記録媒体の作成手順を示すフローチャート図である。
【図９】本発明の一実施例に係るコンピュータ機器を用いた画像データの利用手順を示すフローチャート図である。
【図１０】本発明の一実施例に係る記録媒体における記録構造を示す図である。
【図１１】本発明の一実施例に係る記録媒体における記録構造を示す図である。
【図１２】本発明の一実施例に係るコンピュータ機器の表示手段に表示される操作画面の構成例を示す図である。
【図１３】本発明の一実施例に係るコンピュータ機器の表示手段に表示される操作画面の構成例を示す図である。
【図１４】本発明の一実施例に係るコンピュータ機器の表示手段に表示される操作画面の構成例を示す図である。
【符号の説明】
【００４７】
１  記録媒体作成装置
２  メディア装填部
３  機器接続部
４  記録媒体装填部
５  表示部
６  操作部
７  デジタルカメラ
７ａ  カメラ付き携帯電話機
８  メディア
９  記録媒体
９ａ  ＩＤ情報記録手段
１０  コンピュータ機器
１１  ハードディスク
１２  メディア装填部
１３  機器接続部
１４  記録媒体装填部
１５  表示手段
１６  操作手段
１７  デジタルカメラ
１７ａ  カメラ付き携帯電話機
１８  メディア
１９  通信ネットワーク
２０  ホームサーバ
２１  ｗｅｂサーバ
２２  データ入力手段
２３  データ判別手段
２４  表示制御手段
２５  カーソル
２６  表示画面
２７  タグ表示欄
２８  画像表示欄
２９  作業メニュー欄
３０  メッセージ
【図１】
2005244724.tif 000003
【図２】
2005244724.tif 000004
【図３】
2005244724.tif 000005
【図４】
2005244724.tif 000006
【図５】
2005244724.tif 000007
【図６】
2005244724.tif 000008
【図７】
2005244724.tif 000009
【図８】
2005244724.tif 000010
【図９】
2005244724.tif 000011
【図１０】
2005244724.tif 000012
【図１１】
2005244724.tif 000013
【図１２】
2005244724.tif 000014
【図１３】
2005244724.tif 000015
【図１４】
2005244724.tif 000016